(57)【要約】【課題】複数の熱線センサの個々の熱線センサの状態をもテストできて、設置やメンテナンス等の作業性を向上させることが可能な赤外線センサを提供する。【解決手段】赤外線検知素子とレンズをそれぞれ有する複数の熱線センサと、該各熱線センサで検知された信号に基づき警戒エリアで検知された物体が人体か否かを判定して警報信号を出力する制御手段と、を備えた赤外線センサにおいて、制御手段は、複数の熱線センサの全てから検知信号が出力された際に発報手段を発報させる第１テストモードと、複数の熱線センサの個々の熱線センサから検知信号が出力された際に発報手段を発報させる第２テストモードとを実行可能であることを特徴とする。前記第２テストモードは、複数の熱線センサの個々の熱線センサと全ての熱線センサを順にチェックすることにより発報手段を所定状態で発報させる。【選択図】  図６
2010025553.tif 000002
【特許請求の範囲】
【請求項１】
赤外線検知素子とレンズをそれぞれ有する複数の熱線センサと、該各熱線センサの検知信号に基づき警戒エリアで検知された物体が人体か否かを判定して警報信号を出力する制御手段と、を備えた赤外線センサにおいて、
前記制御手段は、前記複数の熱線センサの全てから検知信号が出力された際に発報手段を発報させる第１テストモードと、前記複数の熱線センサの個々の熱線センサから検知信号が出力された際に前記発報手段を発報させる第２テストモードとを実行可能であることを特徴とする赤外線センサ。
【請求項２】
前記第２テストモードは、複数の熱線センサの個々の熱線センサと全ての熱線センサを順にチェックすることにより前記発報手段を所定状態で発報させることを特徴とする請求項１に記載の赤外線センサ。
【請求項３】
前記発報手段は、それぞれ消灯、点灯、通常点熱、遅点滅、早点滅可能な第１発報手段と第２発報手段を有することを特徴とする請求項１または２に記載の赤外線センサ。
【請求項４】
前記制御手段は、該制御手段に接続された操作手段が操作されるかもしくは一定時間が経過した際に、前記各テストモードが自動的に終了することを特徴とする請求項１ないし３のいずれかに記載の赤外線センサ。
【発明の詳細な説明】
【技術分野】
【０００１】
本発明は、人体から放射される熱線を検知して警戒エリア内における人体の存否を検知する赤外線センサに係わり、特に、複数の熱線センサの個々の状態をもテスト可能な赤外線センサに関する。
【背景技術】
【０００２】
一般的に、警備装置等に使用される赤外線センサにおいては、例えば赤外線センサの設置時に赤外線検知素子とレンズからなる熱線センサが正常に動作するか否か等をテストするためのテストモードが設けられている。従来、このテストモードは、赤外線センサの筺体に赤外線検知素子に接続された検知灯してのＬＥＤを配置し、警戒エリア内を作業員が歩行しながらＬＥＤの点灯状態を目視で確認する歩行テストによって行っている。なお、赤外線センサに関する特許文献としては、例えば特許文献１が知られている。
【特許文献１】特開２００５−２０１７５４号公報
【発明の開示】
【発明が解決しようとする課題】
【０００３】
しかしながら、このような赤外線センサにあっては、赤外線検知素子の数に係わらずＬＥＤが筺体の所定位置に１つ配置され、このＬＥＤが歩行により点灯するか否かを確認しているのみであるため、例えば赤外線検知素子が複数配置される赤外線センサの場合に、個々の赤外線検知素子（熱線センサ）が正常に動作するか否かをテストすることができない。その結果、複数の熱線センサを配置して例えばＡＮＤ警戒モードとＯＲ警戒モードに設定可能な赤外線センサの場合に、各熱線センサの状態をテストすることができず、赤外線センサの設置やメンテナンス作業等の作業が面倒になり易い。
【０００４】
本発明は、このような事情に鑑みてなされたもので、その目的は、複数の熱線センサの個々の熱線センサの状態をもテストできて、設置やメンテナンス等の作業性を向上させることが可能な赤外線センサを提供することにある。
【課題を解決するための手段】
【０００５】
かかる目的を達成すべく、本発明のうち請求項１に記載の発明は、赤外線検知素子とレンズをそれぞれ有する複数の熱線センサと、該各熱線センサで検知された信号に基づき警戒エリアで検知された物体が人体か否かを判定して警報信号を出力する制御手段と、を備えた赤外線センサにおいて、前記制御手段は、前記複数の熱線センサの全てから検知信号が出力された際に発報手段を発報させる第１テストモードと、前記複数の熱線センサの個々の熱線センサから検知信号が出力された際に前記発報手段を発報させる第２テストモードとを実行可能であることを特徴とする。
【０００６】
また、請求項２に記載の発明は、前記第２テストモードが、複数の熱線センサの個々の熱線センサと全ての熱線センサを順にチェックすることにより前記発報手段を所定状態で発報させることを特徴とする。さらに、請求項３に記載の発明は、前記発報手段が、それぞれ消灯、点灯、通常点熱、遅点滅、早点滅可能な第１発報手段と第２発報手段を有することを特徴とする。また、請求項４に記載の発明は、前記制御手段が、該制御手段に接続された操作手段が操作されるかもしくは一定時間が経過した際に、前記各テストモードが自動的に終了することを特徴とする。
【発明の効果】
【０００７】
本発明のうち請求項１に記載の発明によれば、各熱線センサの赤外線検知素子の検知信号に基づき警戒エリアで検知された物体が人体か否かを判定して警報信号を出力する制御手段が、全ての熱線センサから検知信号が出力された際に発報手段を発報させる第１テストモードと、個々の熱線センサから検知信号が出力された際に発報手段を発報させる第２テストモードとを実行可能であるため、第２テストモードにより個々の熱線センサの状態をもテストできて、赤外線センサの設置やメンテナンスの作業性を向上させることができる。
【０００８】
また、請求項２に記載の発明によれば、請求項１に記載の発明の効果に加え、第２テストモードが、個々の熱線センサと全ての熱線センサを順にチェックすることにより発報手段を所定状態で発報させるため、各熱線センサの動作確認（テスト）を効率かつ精度良く良く行うことができる。
【０００９】
さらに、請求項３に記載の発明は、請求項１または２に記載の発明の目的に加え、発報手段が所定状態で動作する第１発報手段と第２発報手段を有するため、第１発報手段及び第２発報手段の動作により全ての熱線センサや個々の熱線センサの状態を明瞭かつ簡単に把握することができる。
【００１０】
また、請求項４に記載の発明によれば、請求項１ないし３に記載の発明の効果に加え、制御部に接続された操作手段が操作されるかもしくは一定時間が経過した際に、各テストモードが自動的に終了するため、テストモードから検知（通常）モードへの切替え操作を忘れた場合であっても検知モードに自動的に設定できて、各テストモードを簡単かつ確実に終了することができると共に、電力の消耗等を防ぐことができる。
【発明を実施するための最良の形態】
【００１１】
以下、本発明を実施するための最良の形態を図面に基づいて詳細に説明する。
図１〜図８は、本発明に係わる赤外線センサの一実施形態を示し、図１がその斜視図、図２が縦断面図、図３が制御系のブロック図、図４がその制御回路のブロック図、図５が警戒エリアの一例を示す図、図６〜図８が動作の一例を示すフローチャートである。
【００１２】
図１及び図２に示すように、赤外線センサ１は、建物の外壁等に取付けられ、幅方向の両側に前方に突出したホルダ２ａを有すると共に上端部に前方に水平状態で突出した上カバー部２ｂを有するベース２と、このベース２の前面に回転可能に取付けられる外形形状が略円筒形状のセンサユニット３と、このセンサユニット３の下面を覆う下カバー５等を有している。
【００１３】
前記センサユニット３は、ベース２形状に略対応した縦長形状のプリント基板６上に実装された３個の赤外線検知素子７ａ〜９ａと、この各赤外線検知素子７ａ〜９ａの前方にそれぞれ配置された集光光学系としての球面レンズ７ｂ〜９ｂを有し、各赤外線検知素子７ａ〜９ａと各球面レンズ７ｂ〜９ｂとにより３個の熱線センサ７〜９が形成されている。そして、この各熱線センサ７〜９は、赤外線検知素子７ａ〜９ａの前方に形成される所定形態の検知エリア内の赤外線（熱線）を赤外線検知素子７ａ〜９ａで検知（受光）し、その検知信号を後述する信号処理回路２１に出力するようになっている。なお、前記赤外線検知素子７ａ〜９ａとしては、２つの焦電素子を互いに逆極性に直列に差動接続し、プラス（＋）極性の焦電素子の出力信号と、マイナス（−）極性の焦電素子の出力信号との合成出力が得られるツイン素子が使用される。
【００１４】
また、センサユニット３は、内部に前記プリント基板６等が内蔵される断面略半円形状の前ケース１１ａ及び後ケース１１ｂを有し、前ケース１１ａの前記球面レンズ７ｂ〜９ｂに対応する部位には、球面レンズ７ｂ〜９ｂを外部に露出させるための開口１２が３個設けられている。また、センサユニット３のプリント基板６には、赤外線センサ１のテストモード時に所定の形態で点灯するＬＥＤからなる、第１発報手段としての検知灯１３ａと第２発報手段としての検知灯１３ｂが上下方向に所定間隔を有して実装されており、この検知灯１３ａ、１３ｂの前方の前ケース１１ａには、検知灯１３ａ、１３ｂの点灯・点滅や消灯等をセンサユニット３の前方から視認可能な透光部１４が設けられている。
【００１５】
そして、センサユニット３は、前ケース１１ａと後ケース１１ｂが一体化されて外形形状が略円筒形状に形成された状態において、その上下面に形成された軸部が、前記ベース２の上カバー部２ｂと下カバー５に水平面内で所定角度（例えば９０度）回転可能で、かつ所定位置で図示しないロック機構によりロック可能に取付けられている。これにより、３個の熱線センサ７〜９による警戒エリアがセンサユニット３の回転動作により調整可能となっている。なお、図１の符号１０は、センサユニット３の回転角度（回転位置）を示す下カバー５に設けられた目盛である。
【００１６】
図３及び図４は、前記赤外線センサ１の制御系のブロック図を示している。以下、これについて説明する。図３に示すように、赤外線センサ１は制御手段としての制御回路１５を有し、この制御回路１５には、その入力側に前記３個の熱線センサ７〜９と、赤外線センサ１をＡＮＤ警戒モードとＯＲ警戒モードに設定する設定スイッチ１６と、赤外線センサ１の設置場所の外気温を検知する温度センサ１８と、後述するテストモード時にオン・オフされるテストスイッチ２３が接続されると共に、例えば電池等の電源１９に接続された電源回路２０が接続されている。また、制御回路１５の出力側には前記検知灯１３ａ、１３ｂが接続されると共に、制御回路１５の所定の出力端子からは検知出力が出力されるようになっている。
【００１７】
前記制御回路１５は、図４に示すように、３個の熱線センサ７〜９にそれぞれ接続された３個の信号処理回路２１を有し、この各信号処理回路２１は、各熱線センサ７〜９で検知された信号を増幅する増幅器２１ａと、人体に関する周波数を透過させる帯域フィルタ２１ｂと、該帯域フィルタ２１ｂを透過した信号と予め設定した閾値とを比較する比較器２１ｃ等によって構成されている。そして、各比較器２１ｃがマイコン等からなる判定部２２に接続されており、３個の比較器２１ｃの比較結果、つまり信号処理回路２１の出力に基づいて、判定部２２により各熱線センサ７〜９の出力信号が例えばＡＮＤ論理（もしくはＯＲ論理）の際に、各熱線センサ７〜９で検知された物体が人体であると判定して、前記検知出力を出力するようになっている。
【００１８】
そして、この赤外線センサ１は、各熱線センサ７〜９によって所定の警戒エリアが得られるようになっている。図５は、前記熱線センサ７の警戒エリアの平面図及び側面図を示しており、水平面内においては、図５（ａ）に示すようにＡ〜Ｉの検知ゾーンが形成され、また、垂直面内においては、図５（ｂ）に示すようなＡ〜Ｄ、Ｅ〜Ｈ及びＩの検知ゾーンが形成されている。
【００１９】
なお、図５は、赤外線センサ１の最も高い位置にある熱線センサ７による検知ゾーンを示すが、中間位置にある熱線センサ８や最も低い位置にある熱線センサ９の検知ゾーンは、水平面内や垂直面内において他の熱線センサ７〜９の検知ゾーンと同一とならないように設定されており、これにより、水平面及び垂直面において３つの熱線センサ７〜９により所定形態の警戒エリアが形成されるようになっている。
【００２０】
次に、この赤外線センサ１のテストモード時の動作の一例を図６〜図８のフローチャートに基づいて説明する。なお、図６〜図８に示すフローチャートは、前記判定部２２の記憶部に予め記憶されたプログラムにしたがい自動的に実行される。先ず、図６に示すように、赤外線センサ１の電源を投入するとプログラムが開始（Ｓ１００）され、テストスイッチ２３がオンか否か（Ｓ１０１）、すなわち、テストモードを使用するか否かが判断され、この判断Ｓ１０１は「ＹＥＳ」になるまで繰り返される。
【００２１】
そして、前記テストスイッチ２３がオンされてテストモードに設定されると、判断Ｓ１０１で「ＹＥＳ」となり、テストスイッチ２３が所定時間Ｔ１オン(ＯＮ）か否かが判断（Ｓ１０２）され、この判断Ｓ１０２で「ＮＯ」の場合、すなわち、テストスイッチ２３が短く押されて時間Ｔ１オンしない場合は、テストモード１が実行（Ｓ１０３）される。また、判断Ｓ１０２で「ＹＥＳ」の場合、すなわち、テストスイッチ２３が長く押されて時間Ｔ１（例えば２〜３秒）以上オンした場合は、テストモード２が実行（Ｓ１０４）される。
【００２２】
そして、テストモード１もしくはテストモード２が後述する如く実行されると、所定時間Ｔ２が経過したか否かが判断（Ｓ１０５）され、この判断Ｓ１０５で「ＮＯ」の場合は、ステップＳ１０１に戻り該ステップＳ１０１以降を繰り返す。一方、判断Ｓ１０５で「ＹＥＳ」の場合、すなわち各テストモード１、２が実行されて予め設定されている時間Ｔ２（例えば１０分）が経過した場合は、各テストモード１、２の実行により後述する如く点灯や点熱状態にある前記検知灯１３ａ、１３ｂを消灯（Ｓ１０６）させて、一連のプログラムが終了（Ｓ１０７）する。
【００２３】
図７と図８は、前記テストモード１とテストモード２の動作を示すフローチャートである。図７に示すように、テストモード１は、判断Ｓ１０２で「テストモード１」が選択されると、検知灯１３ａと検知灯１３ｂを共に通常点滅（Ｓ２０１）させ、前記設定スイッチ１６による警戒モードの設定がＡＮＤ警戒であるか否かが判断（Ｓ２０２）される。設定スイッチ１６がＡＮＤ警戒モードに設定されて判断Ｓ２０２で「ＹＥＳ」になると、全ての熱線センサ７〜９がＯＫか否かが判断（Ｓ２０３）される。この判断Ｓ２０３は、従来と同様に歩行テストによって行われ、３つの全ての熱線センサ７〜９から検知出力が得られてＯＫになると、判断Ｓ２０３で「ＹＥＳ」となり、検知灯１３ａと検知灯１３ｂを点灯（Ｓ２０５）させ、ステップＳ１０５に移る。
【００２４】
一方、設定スイッチ１６がＯＲ警戒モードに設定されて判断Ｓ２０２で「ＮＯ」になると、３つの熱線センサ７〜９のうちいずれか一つがＯＫか否かが判断（Ｓ２０４）され、何れかの熱線センサ７〜９から検知出力が得られてＯＫになると、判断Ｓ２０４で「ＹＥＳ」となってステップＳ２０５に移る。なお、判断Ｓ２０３や判断Ｓ２０４で「ＮＯ」の場合、すなわち、３つの熱線センサ７〜９からＡＮＤ論理やＯＲ論理の検知信号が出力されない場合は、センサユニット３の角度等を設定変更する調整（Ｓ２０６）がされて、ステップＳ２０１に戻り、該ステップ２０１以降を繰り返す。
【００２５】
つまり、テストモード１は、作業員が歩行テストしながら、センサユニット３の透光部１４から目視で確認することにより実行され、検知灯１３ａと検知灯１３ｂが点滅状態から点灯状態に変更した時点で終了することになる。なお、前記ステップＳ２０６における調整は、前記目盛１０を利用しながらセンサユニット３を水平面内で回転させて警戒方向を変更したり、センサユニット３を１８０度回転させて後ケース１１ｂに設けた図示しない小蓋内に配置された基板用目盛と調整ネジを利用しながら、プリント基板６を上下方向にスライドさせて警戒距離を変更すること等により行われる。
【００２６】
一方、テストモード２は、図８に示すように、判断Ｓ１０２で「テストモード２」が選択されると、検知灯１３ａを消灯させると共に検知灯１３ｂを点灯（Ｓ３０１）させ、熱線センサ７がＯＫか否かが判断（Ｓ３０２）される。この判断Ｓ３０２は、前述した歩行テストによって行われ、熱線センサ７から検知出力が得られてＯＫになると、判断Ｓ３０２で「ＹＥＳ」となり、検知灯１３ａと検知灯１３ｂを共に点灯（Ｓ３０４）させる。そして、所定時間Ｔ３（例えば３０秒）経過したか否かが判断（Ｓ３０５）され、この判断Ｓ３０５は「ＹＥＳ」になるまで繰り返され、「ＹＥＳ」となった時点で検知灯１３ａを消灯させると共に検知灯１３ｂを前記通常点滅より遅い速度で遅点滅（Ｓ３０６）させる。
【００２７】
これにより熱線センサ７のテストが終了し、次に、熱線センサ８が前記熱線センサ７と同様に「ＯＫ」か否かが判断（Ｓ３０７）され、この判断Ｓ３０７で「ＹＥＳ」の場合は、検知灯１３ａを点灯させると共に検知灯１３ｂを遅点滅（Ｓ３０８）させ、所定時間Ｔ３が経過したか否かが判断（Ｓ３０９）される。この判断Ｓ３０９も判断Ｓ３０５と同様に「ＹＥＳ」になるまで繰り返され、「ＹＥＳ」となった時点で、検知灯１３ａを消灯させると共に検知灯１３ｂを前記通常点滅より早い速度で早点滅（Ｓ３１０）させる。これにより、熱線センサ８がテストされる。
【００２８】
次に、熱線センサ９がＯＫか否かが判断（Ｓ３１１）され、この判断Ｓ３１１で「ＹＥＳ」の場合は、検知灯１３ａを点灯させると共に検知灯１３ｂを早点滅（Ｓ３１２）させ、所定時間Ｔ３が経過したか否かが判断（Ｓ３１３）される。この判断Ｓ３１３で「ＹＥＳ」となった時点で、検知灯１３ａを点滅させると共に検知灯１３ｂを遅点滅（Ｓ３１４）させ、これにより、熱線センサ９がテストされる。
【００２９】
このようにして各熱線センサ７〜９がそれぞれテストされると、３つの熱線センサ７、８、９が全てＯＫか否かが判断（Ｓ３１５）され、この判断Ｓ３１５で「ＹＥＳ」の場合は、検知灯１３ａを点灯させると共に検知灯１３ｂを点灯（Ｓ３１６）させて、ステップＳ１０５に移る。なお、判断Ｓ３０２、判断Ｓ３０７、判断Ｓ３１１、判断Ｓ３１５で「ＮＯ」の場合は、前記ステップＳ２０６と同様の調整（Ｓ３０３）を行った後に、ステップＳ３０１に戻り、該ステップ３０１以降を繰り返す。
【００３０】
つまり、このテストモード２は、熱線センサ７→熱線センサ８→熱線センサ９→熱線センサ７、８、９を順にテスト（動作チェック）し、個々の熱線センサ７、８、９の動作と全ての熱線センサ７〜９のＡＮＤ動作が共にＯＫの場合にテストが終了することになる。そして、このテストモード２は、３つの熱線センサ７〜９の状態を所定の手順に沿ってそれぞれテストすることで、前記設定スイッチ１６がＡＮＤ警戒モードに設定されている場合でテストＯＫが出ない場合等に、どの熱線センサ７〜９が起因してるかをテストできることになる。
【００３１】
このように、上記実施形態の赤外線センサ１にあっては、制御回路１５により、警戒エリア内の歩行テストにより検知灯１３ａ、１３ｂを所定状態で発報させる第１テストモードと、各熱線センサ７〜９が正常に動作している場合に検知灯１３ａ、１３ｂを所定状態で発報させる第２テストモードとが実行可能であるため、第１テストモードにより、必要な警戒エリアを検知できるかどうかをテストできると共に、第２テストモードにより３つの熱線センサ７〜９の個々の動作をテストすることができる。
【００３２】
特に、２つの検知灯１３ａ、１３ｂの状態が、消灯・点灯・点滅の組み合わせになると共に、点滅状態が通常点滅、遅点滅、早点滅とに区別されているため、３つの熱線センサ７〜９の動作状態を２つの検知灯１３ａ、１３ｂの状態で明確に把握することができる。その結果、テストモード２によって、警戒モードがＡＮＤ警戒モードに設定された場合で歩行テストを実施しても所定の発報状態が得られない場合に、３つの熱線センサ７〜９の動作状態をテストできて、どの熱線センサ７〜９の状態が良くないかを簡単かつ確実に把握することができ、赤外線センサ１の設置作業等の作業の能率を大幅に向上させることが可能となる。
【００３３】
また、テストモード２への設定により３つの熱線センサ７〜９の個々の動作状態が確認できるため、例えば熱線センサ７〜９が故障したりその性能が低下する等の不具合が生じた場合に、不具合箇所を簡単に特定することができて、赤外線センサ１の修理や保守等のメンテナンス作業を効率良く行うことが可能となる。
【００３４】
また、制御回路１５に接続されたテストスイッチ２３がオフ操作された場合かあるいは予め設定した時間Ｔ２が経過した場合に、各テストモードが自動的に終了するため、各テストモードを簡単かつ確実に終了することができて、作業者がテストモードから検知（通常）モードへの切替え操作を忘れた場合であっても、赤外線センサ１を検知モードに自動的に設定できると共に、赤外線センサ１の電力の浪費や電池等の消耗を抑えることができて、長期に亘り安定した検知能力の赤外線センサ１を得ることができる。
【００３５】
さらに、熱線センサ７〜９が３つの赤外線検知素子７ａ〜９ａとレンズとして３つの球面レンズ７ｂ〜９ｂとで構成されているため、３つの赤外線検知素子７ａ〜９ａにより、虫等の小動物による誤報を減少できると共に、球面レンズ７ｂ〜９ｂの使用により扇形の精度良い警戒エリアが形成されて、近い警戒エリアにおける小動物による誤報を減少できる等、高精度な警戒エリアを得ることが可能となる。
【００３６】
また、テストモード１とテストモード２の切り替えが、一つのテストスイッチ２３のオン時間によって行われるため、操作性に優れると共に、テストモード２用のスイッチを別途設ける必要がなく、赤外線センサ１の部品追加を抑制して機能アップによるコストアップを抑えることもできる。また、３つの熱線センサ７〜９を有してＡＮＤ警戒モードとＯＲ警戒モードに設定可能であるため、警戒エリアの状態に応じて、所定の警戒モードに簡単に設定することができて、各種警戒エリアに対応できる等、汎用性と操作性に優れた赤外線センサ１を得ることができる。
【００３７】
なお、上記実施形態における、赤外線センサ１の全体及びセンサユニット３等の各部の形状、制御系のブロック図や制御回路自体のブロック図、及びこれらの動作は一例であって、制御回路１５を他のブロック構成としたり、上記したフローチャートと同様の作用効果が得られる他のフローチャートを採用する等、本発明に係わる各発明の要旨を逸脱しない範囲において適宜に変更することができる。
【産業上の利用可能性】
【００３８】
本発明は、熱線センサを３個有する赤外線センサに限らず、ＡＮＤ警戒モードとＯＲ警戒モードに設定可能な２個もしくは４個以上の複数の熱線センサを有する全ての赤外線センサに利用できる。
【図面の簡単な説明】
【００３９】
【図１】本発明に係わる赤外線センサの一実施形態を示す斜視図
【図２】同その縦断面図
【図３】同制御系のブロック
【図４】同その制御回路のブロック図
【図５】同警戒エリアの一例を示す図
【図６】同テストモード時の動作の一例を示すフローチャート
【図７】同テストモード１の動作を示すフローチャート
【図８】同テストモード２の動作を示すフローチャート
【符号の説明】
【００４０】
１・・・赤外線センサ、２・・・ベース、２ａ・・・ホルダ、２ｂ・・・上カバー部、３・・・センサユニット、５・・・下カバー、６・・・プリント基板、７〜９・・・熱線センサ、７ａ〜９ａ・・・赤外線検知素子、7ｂ〜９ｂ・・・球面レンズ、１１ａ・・・前ケース、１１ｂ・・・後ケース、１２・・・開口、１３ａ、１３ｂ・・・検知灯、１４・・・透光部、１５・・・制御回路、１６・・・設定スイッチ、１８・・・温度センサ、１９・・・電源、２０・・・電源回路、２１・・・信号処理回路、２１ａ・・・増幅器、２１ｂ・・・帯域フィルタ、２１ｃ・・・比較器、２２・・・判定部、２３・・・テストスイッチ。
【図１】
2010025553.tif 000003
【図２】
2010025553.tif 000004
【図３】
2010025553.tif 000005
【図４】
2010025553.tif 000006
【図５】
2010025553.tif 000007
【図６】
2010025553.tif 000008
【図７】
2010025553.tif 000009
【図８】
2010025553.tif 000010